(57)【特許請求の範囲】
【請求項１】
指令を発する統制局と、移動局無線装置と、前記統制局と前記移動局無線装置との間の通信を中継する複数の基地局無線装置とからなり、前記複数の基地局無線装置に「常送」の動作モードの基地局無線装置と「非常送」の動作モードの基地局無線装置が混在する無線システムであって、
前記移動局無線装置は、前記複数の基地局無線装置に対して特定チャネルで位置登録送信を行い、
前記複数の基地局無線装置の内の特定の基地局無線装置が、前記移動局無線装置に対して前記動作モードに関する情報を含む前記位置登録送信に対する応答信号を前記特定のチャネルで送信することを特徴とする無線システム。
【請求項２】
前記移動局無線装置は、前記特定の基地局無線装置から送信された動作モードに関する情報を報知する手段を備えていることを特徴とする請求項１に記載の無線システム。
【請求項３】
前記移動局無線装置は、「常送」の動作モードを内容とする前記応答信号を受け取ってから常に前記特定の基地局無線装置からの電波を受信し、該受信のレベルが予め定めた所定値を下回ったとき、別のチャネルで前記位置登録送信を再開することを特徴とする請求項１又は２に記載の無線システム。
【請求項４】
移動局無線装置と指令を発する統制局との間の通信を中継する「常送」又は「非常送」の動作モードの基地局無線装置であって、
前記移動局無線装置から受信した位置登録送信に対する前記移動局無線装置への応答信号中に、前記動作モードに関する情報を含めることを特徴とする基地局無線装置。
【請求項５】
指令を発する統制局との間を、「常送」又は「非常送」の動作モードで動作する基地局無線装置を介して中継される移動局無線装置であって、
前記基地局無線装置に対して位置登録送信を行うとともに、該位置登録送信に応じて前記基地局無線装置から送信される応答信号中の前記動作モードに関する情報を受信可能としたことを特徴とする移動局無線装置。
【請求項６】
前記動作モードに関する情報を報知する手段を備えたことを特徴とする請求項５に記載の移動局無線装置。
【発明の詳細な説明】
【技術分野】
【０００１】
本発明は、電源投入の後に下り電波を送出し続ける「常送」モードの基地局無線装置と通信要求があった時のみ下り電波を送出する「非常送」モードの基地局無線装置とが混在する無線システム、その無線システムに使用する基地局無線装置および移動局無線装置に関するものである。
【背景技術】
【０００２】
図８に従来のアナログ方式の消防救急の無線システムの構成を示す。図８において、１０Ａはシステム全体を統制する統制局、２０Ａはその統制局１０Ａにより制御されるアナログ方式の複数（ここでは５台の例を示す）の基地局無線装置２１Ａ〜２５Ａからなる基地局無線装置群、３０Ａは消防車あるいは救急車に搭載されるアナログ方式の移動局無線装置を示す。
【０００３】
統制局１０Ａにおいて、１１はＬＡＮ、１２は１１９番の消防救急の通報を受けたオペレータにより各種指令が発せられる指令台、１３は指令台１２で発せられる指令をその指令に基づいて消防チャネル「市１」と「市２」、救急チャネル「救急」に接続する指令制御装置である。１４は無線統制台であり、「市１」、「市２」、「救急」のチャネルの信号を複数に分岐して送信しあるいは集中して受信する。
【０００４】
基地局無線装置群２０Ａにおいて、基地局無線装置２１Ａ〜２５Ａは、消防チャネル「市１」と「市２」、あるいは救急チャネル「救急」の無線周波数により、消防車あるいは救急車に搭載された移動局無線装置３０Ａとの間で相互通信を行う。
【０００５】
従来のアナログ方式の消防救急の無線システムは、基地局無線装置２１Ａ〜２５Ａが「非常送」モード、すなわち、統制局１０Ａからの通信要求あるいは移動局無線装置３０Ａからの通信要求が発生する都度、電波を発射し、通信終了を以って電波発射を停止するモードで動作する。このアナログ方式の無線システムでは、通信する際に、基地局無線装置２１Ａ〜２５Ａと移動局無線装置３０Ａとの間において同期合わせを行う必要がないため、通信エリア内に同じチャネルに設定された複数の基地局無線装置２１Ａ〜２５Ａを設置しても運用可能であり、また、移動局無線装置３０Ａおよび統制局１０Ａ側でのチャネルの選択は手動で行うのが一般的であり、自動通信エリア切り替え機能が無くても支障の無い運用を行うことができる。
【０００６】
統制局１０Ａから移動局無線装置３０Ａを呼び出す場合は、基地局無線装置２１Ａ〜２５Ａの内の前回通信したいずれかを経由して呼び出す。あるいは、基地局無線装置２１Ａ〜２５Ａが同時に移動局無線装置３０Ａからの電波を受信していれば、受信レベルの一番高い基地局無線装置を経由して呼び出す。移動局無線装置３０Ａが別の場所に移動している最中などにより、対象とする移動局無線装置３０Ａから応答が無ければ、順次、別の移動局無線装置３０Ａを呼び出す。
【０００７】
移動局無線装置３０Ａからの通信要求は、全ての基地局無線装置２１Ａ〜２５Ａが受信し、統制局１０Ａに対して着信させる。アナログ方式であるため、１台の移動局無線装置３０Ａからの音声が複数の基地局無線装置２１Ａ〜２５Ａに着信されても同時に聞こえるため問題とならないからである。
【０００８】
ところで、現状のアナログ方式の消防救急の無線システムは、近い将来使用禁止となことが決まっている。そこで、１通信当り１チャネルを割り当てるデジタル無線アクセス方式として、ＳＣＰＣ（Single Channel Per Carrier）方式が提案されている。
【０００９】
このＳＣＰＣ方式は、アナログ方式と違い、通信に移行する前に基地局無線装置と移動局無線装置との間での同期バーストの授受により、通信へ引き込むタイミング合わせを行うことが不可欠となる。また、移動局無線装置から受信した上り信号は、当該基地局無線装置で「折り返し」を行うことが必須となる。これは、当該基地局無線装置による通信エリア内の他の移動局無線装置を発呼禁止（禁止しないと混信が発生し互いの信号が壊れてしまうため）にするため、および最終的には当該移動局無線装置からの音声信号を他の移動局無線装置に聞かせるためである。
【００１０】
以上のように、特定の移動局無線装置からの上り信号について、基地局無線装置で他の移動局無線装置に対して「折り返し」を行うことが必須であるＳＣＰＣ方式では、通信エリア内に同一チャネルに設定された２以上の基地局無線装置を配置することは不可能となる。
【００１１】
また、ＳＣＰＣ方式は、「常送」モードの基地局無線装置の通信エリア内では自動通信エリア切り替えは容易に実現可能である。なお、特許文献１には、受信レベル低下により移動局無線装置の無線ゾーンの切替のタイミングを報知することが記載されている。
【特許文献１】特開昭５９−１４６２３２号公報
【発明の開示】
【発明が解決しようとする課題】
【００１２】
しかし、「非常送」モードの基地局無線装置の通信エリア内では受信レベルは検知できず、移動局無線装置のオペレータの負担が増すこととなり、通常運用に支障を来たす恐れがある。
【００１３】
以上のように、移動局無線装置からの上り信号の「折り返し」を行う基地局無線装置を特定することおよび自動通信エリア切り替え機能の実現は、ＳＣＰＣ方式の基地局無線装置が[「常送」モード且つ単一チャネル]であれば容易に実現可能であるが、アナログ方式からデジタルのＳＣＰＣ方式への移行を考えた場合、全ての基地局無線装置を[「常送」モード且つ単一チャネル]で構成することは、周波数資源や予算的面などから得策では無く、「非常送」の動作モードの基地局無線装置をも混在させることが要請される。この場合は、移動局無線装置のオペレータは、現在位置が「常送」エリアか「非常送」エリアかを常時確認する必要があるが、混在しているとそれが困難となり、「常送」エリアであっても常時チャネル切替に備える必要がある。
【００１４】
本発明の目的は、「常送」の動作モードの基地局無線装置と「非常送」の動作モードの基地局無線装置が混在することを前提としながらも、移動局無線装置のオペレータが基地局無線装置の動作モードが「常送」か「非常送」かを意識することなく運用ができるようにした無線システム、並びにそれに使用する基地局無線装置および移動局無線装置を提供することである。
【課題を解決するための手段】
【００１５】
上記目的を達成するために、請求項１にかかる発明の無線システムは、指令を発する統制局と、移動局無線装置と、前記統制局と前記移動局無線装置との間の通信を中継する複数の基地局無線装置とからなり、前記複数の基地局無線装置に「常送」の動作モードの基地局無線装置と「非常送」の動作モードの基地局無線装置が混在する無線システムであって、前記移動局無線装置は、前記複数の基地局無線装置に対して特定チャネルで位置登録送信を行い、前記複数の基地局無線装置の内の特定の基地局無線装置が、前記移動局無線装置に対して前記動作モードに関する情報を含む前記位置登録送信に対する応答信号を前記特定のチャネルで送信することを特徴とする。
請求項２にかかる発明は、請求項１に記載の無線システムにおいて、前記移動局無線装置は、前記特定の基地局無線装置から送信された動作モードに関する情報を報知する手段を備えていることを特徴とする。
請求項３に記載の発明は、請求項１又は２に記載の無線システムにおいて、前記移動局無線装置は、「常送」の動作モードを内容とする前記応答信号を受け取ってから常に前記特定の基地局無線装置からの電波を受信し、該受信のレベルが予め定めた所定値を下回ったとき、別のチャネルで前記位置登録送信を再開することを特徴とする。
請求項４にかかる発明の基地局無線装置は、移動局無線装置と指令を発する統制局との間の通信を中継する「常送」又は「非常送」の動作モードの基地局無線装置であって、前記移動局無線装置から受信した位置登録送信に対する前記移動局無線装置への応答信号中に、前記動作モードに関する情報を含めることを特徴とする。
請求項５にかかる発明の移動局無線装置は、指令を発する統制局との間を、「常送」又は「非常送」の動作モードで動作する基地局無線装置を介して中継される移動局無線装置であって、前記基地局無線装置に対して位置登録送信を行うとともに、該位置登録送信に応じて前記基地局無線装置から送信される応答信号中の前記動作モードに関する情報を受信可能としたことを特徴とする。
請求項６にかかる発明は、請求項５に記載の移動局無線装置において、前記動作モードに関する情報を報知する手段を備えたことを特徴とする。
【発明の効果】
【００１６】
本発明によれば、移動局無線装置から基地局無線装置に対して位置登録送信を行い、これに応じて基地局無線装置からは動作モードに関する情報を移動局無線装置に応答信号として送信するので、「常送」モードと「非常送」モードの基地局無線装置が複数混在していても、移動局無線装置が通信すべき基地局無線装置を特定させることが可能となり、オペレータに負担をかけることなく、アナログ方式と同様のシステム展開が行え、消防救急の業務がスムースに行え、運用／コスト的に効果大である。
【発明を実施するための最良の形態】
【００１７】
本発明のＳＣＰＣ方式の無線システムでは、移動局無線装置の電源投入時、基地局無線装置（動作モード「常送」のみ）からの受信レベル劣化時、あるいは移動局無線装置のオペレータによるチャネル変更時を契機として、本来の通信に先立って移動局無線装置が位置登録を送信し、移動局無線装置の通信すべき特定の基地局無線装置の基地局番号と動作モード（「常送」／「非常送」）が移動局無線装置に登録され、そこで報知される。これにより、本来の通信要求時には、移動局無線装置から送信する信号中に、その基地局番号を指定することで、その基地局無線装置を介して統制局と通信が行われる。そして、その後に移動局無線装置が「常送」モードの別の基地局無線装置の通信エリア内、あるいは「非常送」モードの別の基地局無線装置の通信エリア内に移動した際は、受信レベルの劣化やチャネル変更を契機に新たに位置登録を行う。以上により、「常送」モードの基地局無線装置と「非常送」モードの基地局無線装置が混在していても、移動局無線装置のオペレータが基地局無線装置の動作モードおよび通信エリアを意識することなく運用できるようにする。
【実施例】
【００１８】
＜基本構成＞
図１において、１０はシステム全体を統制する統制局、２０は統制局１０により制御されるデジタル方式の複数（ここでは５台の例を示す）の基地局無線装置２１〜２５からなる基地局無線装置群、３０は消防車あるいは救急車に搭載されるデジタル方式の移動局無線装置を示す。
【００１９】
統制局１０において、１１はＬＡＮ、１２は１１９番の消防救急の通報を受けたオペレータにより各種指令が発せられる指令台、１３は指令台１２で発せられる指令をその指令に基づいて消防チャネル「市１」と「市２」、救急チャネル「救急」に接続する指令制御装置である。１４は無線統制台であり、「市１」、「市２」、「救急」のチャネルの信号を複数に分岐して送信しあるいは集中して受信する。１５はＳＣＰＣ制御装置である。このＳＣＰＣ制御装置１５は、無線統制台１４との間のアナログインターフェースと、各基地局無線装置２１〜２５との間のデジタルインターフェースを備え、各基地局無線装置２１〜２５が移動局無線装置３０から同一チャネルの位置登録の受信をしたときの受信レベルを示す信号を受けることにより、移動局無線装置３０に下り信号を送出すべきいずれか１つの基地局無線装置を特定する。
【００２０】
基地局無線装置群２０において、基地局無線装置２１〜２５は移動局無線装置３０との間で、デジタルの消防用のチャネル「市１」、「市２」あるいはデジタルの救急用チャネル「救急」による通信機能をつ。さらに、基地局無線装置２１〜２５は、ＳＣＰＣ方式の通信機能を実装し、「常送」モードあるいは「非常送」モードで動作する。また、基地局無線装置２１〜２５は、ＳＣＰＣ制御装置１５からの「折り返し」の指示の受信により、下り信号に「常送」と「非常送」の識別を示す動作モードと基地局番号をセットして送出する。また、移動局無線装置３０から上り信号を受信して、基地局番号有りのときは自局で折り返しを行い、基地局番号なしのときはＳＣＰＣ制御装置１５からの指示に従う。
【００２１】
移動局無線装置３０は、ＳＣＰＣ方式の通信機能を実装し、本来の通信に先立つ非通信中に位置登録を行う。この位置登録では、電源投入時、受信レベル劣化時あるいはチャネル変更時には基地局番号をセットせず位置登録の送信を行う。そして、基地局無線装置２１〜２５の内の特定の基地局無線装置からの応答信号により当該特定の基地局無線装置の動作モードと基地局番号を取得し、今後通信すべき特定の基地局無線装置を記憶する。当該特定の基地局無線装置の動作モードと基地局番号は、図示しない表示器や音声によってオペレータに報知される。
【００２２】
＜基地局無線装置の動作＞
図２に基地局無線装置２１〜２５の内の「非常送」の動作モードの基地局無線装置の動作の特定チャネルでのフローチャートを示す。電源投入の後は、統制局１０あるいは移動局無線装置３０からの信号を待ち受け（Ｓ１）、通信要求があり（Ｓ２−Ｙ）、かつそれが移動局無線装置３０からの受信であったとき（Ｓ３−受信）は、その受信信号を判定する（Ｓ４）。このとき、同期バーストであれば（Ｓ４−同期バースト）、次にその受信内容が位置登録か否かを判定してそれが位置登録の受信であるとき（Ｓ５−Ｙ）は、統制局１０にその受信信号を送信し（Ｓ６）、その統制局１０からの応答をタイマ時間だけ待つ（Ｓ７）。
【００２３】
このとき、統制局１０のＳＣＰＣ制御装置１５は、「非常送」の動作モードの各基地局無線装置で受信した移動局無線装置３０からの特定チャネルの受信信号の受信レベルを互いに比較し、その内で最も高い受信レベルの基地局無線装置（ここでは、基地局無線装置２５とする）に対して、「折り返し」の指示を出す（図３参照。なお、この図３では全部の基地局無線装置２１〜２５が「非常送」の動作モードの例で説明した。）。
【００２４】
これによって、最も高い受信レベルの基地局無線装置２５が、その基地局無線装置２５の基地局番号と動作モード（「非常送」）をセットして（Ｓ８）、移動局無線装置３０に対して下り送信を行う（Ｓ９）。他の「非常送」の動作モードの基地局無線装置は、受信レベルが低く、ＳＣＰＣ制御装置１５から「折り返し」の指令が出ないので、タイマ時間が経過すると、タイムアウト（Ｓ７−タイムアウト）となる。以上により、移動局無線装置３０では、位置登録として基地局無線装置２５の基地局番号と動作モードが受信される。この位置登録の内容がその移動局無線装置３０に実際に記憶されるか否かは、後記するように移動局無線装置３０での受信レベル如何によって決まる。
【００２５】
上記位置登録の内容が移動局無線装置３０に登録された後は、基地局無線装置２５が、移動局無線装置３０からの上り信号を受信して、それが位置登録の受信でないとき（Ｓ５−Ｎ）は、基地局番号が一致すると（Ｓ１１−Ｙ）、同期バーストを送信し（Ｓ１２）、受信処理を行う（Ｓ１３）。
【００２６】
＜移動局無線装置の動作＞
図４に移動局無線装置３０の動作のフローチャートを示す。電源投入の後の非通信時であってチャネル変更がなく前回位置登録がないとき（Ｓ２１−Ｎ，Ｓ２２−Ｎ，Ｓ２３−Ｎ，Ｓ２４−Ｎ）は、全チャネルサーチを行う（Ｓ２５）。すなわち、移動局無線装置３０が有する全チャネルを逐次切り替えて、各チャネルについて位置登録の送信を行う。
【００２７】
図５はこの全チャネルサーチの詳細を示し、移動局無線装置３０に内蔵の不揮発ＲＯＭから全チャネルを読み出して（Ｓ２５１）、そのチャネル数をセットし（Ｓ２５２）、その内の特定の１つのチャネルをセットして（Ｓ２５３）、位置登録の送信を行う（Ｓ２５４）。この位置登録の送信では基地局番号は未定であり当然ながらセットしない。これにより基地局無線装置からの応答（基地局番号と動作モード）を受けて仮にセット（Ｓ２５５）し、前記セットしたチャネル数がオーバしない（Ｓ２５６−Ｎ）限り、チャネル数を＋１して（Ｓ２５７）同様の位置登録の送信を行うことで、全チャネルについての位置登録の送信に対する応答を仮セットする。
【００２８】
このチャネルサーチ中での位置登録動作によって、移動局無線装置３０で受信する受信レベルが規定値以上のものが１以上あったとき（Ｓ２６−Ｙ）は、各チャネルについて受信レベル比較を行い（Ｓ２７）、そのうちの最高受信レベルのチャネルについて位置登録の送信を行う（Ｓ２８）。このときは基地局番号をセットして送信する。これにより、当該基地局の基地局無線装置から基地局動作モードと基地局番号が再度通知される（図２のＳ８）、つまり応答受信があり（Ｓ２９−Ｙ）、その受信レベルが規定値以上であれば（Ｓ３０−Ｙ）、次に動作モードを判定する（Ｓ３１）。
【００２９】
動作モードが「常送」の場合は、その動作モードをセットして待ち受け（Ｓ３２，Ｓ３３）、レベル劣化やチャネル変更が無ければ（Ｓ３４−Ｎ、Ｓ３５−Ｎ）、通信要求の有無を判定する（Ｓ３６）。動作モードが「非常送」の場合は、その動作モードをセットして待ち受け（Ｓ３７，Ｓ３８）、チャネル変更が無ければ（Ｓ３９−Ｎ）、通信要求の有無を判定する（Ｓ４０）。
【００３０】
以上において、途中でチャネル変更があったとき（Ｓ２２−Ｙ，Ｓ３５−Ｙ，Ｓ３９−Ｙ）は、当該変更後のチャネルをセットし（Ｓ４１）、位置登録の送信を行う（Ｓ４２）。これにより、特定の基地局無線装置から基地局動作モードと基地局番号が通知される（図２のＳ８）、つまり応答受信があり（Ｓ４３−Ｙ）、その受信レベルが規定値以上であれば（Ｓ４４−Ｙ）、次に動作モードを判定する（Ｓ３１）。
【００３１】
また、前回位置登録済みの場合（Ｓ２３−Ｙ）は、前回チャネルをセットし（Ｓ４５）、位置登録の送信を行う（Ｓ４６）。これにより、特定の基地局無線装置から基地局動作モードと基地局番号が通知される（図２のＳ８）、つまり応答受信があり（Ｓ４７−Ｙ）、その受信レベルが規定値以上であれば（Ｓ４８−Ｙ）、次に動作モードを判定する（Ｓ３１）。
【００３２】
また、途中で通信要求があったとき（Ｓ２１−Ｙ，Ｓ２４−Ｙ，Ｓ３６−Ｙ，Ｓ４０−Ｙ）は、図６に示すように、それが送信の場合（Ｓ４９−送信）、基地局番号をセットし（Ｓ５０）てから、同期バーストを送信する（Ｓ５１）。また、受信の場合（Ｓ４９−受信）は、受信処理を行う（Ｓ５２）。
【００３３】
＜運用の一例＞
図７は移動局無線装置３０を搭載した消防車が、通信エリアＡ→Ｂ→Ｄを移動する場合の動作説明図である。移動局無線装置３０はチャネルとしてサービスエリア内のすべてのチャネルを実装する。通信エリアＡの基地局無線装置２１は基地局番号が「０１」、動作モードが「常送」、チャネルが「市１」である。通信エリアＢの基地局無線装置２２は基地局番号が「０２」、動作モードが「常送」、チャネルが「市３」である。通信エリアＣの基地局無線装置２３は基地局番号が「０３」、動作モードが「常送」、チャネルが「市２」である。通信エリアＤの基地局無線装置２４は、基地局番号が「０４」、動作モードが「非常送」、チャネルが「市１」、基地局無線装置２５は基地局番号が「０５」、動作モードが「非常送」、チャネルが「市１」である。なお、図１では「市３」は使用しなかったが、ここでは使用することとした。
【００３４】
通信エリアＡで移動局無線装置３０の電源を投入すると、その移動局無線装置３０はまずチャネル「市１」で位置登録の送信を行う。このとき、そのチャネル「市１」の信号は最も近い基地局無線装置２１での受信レベルが最大となり、この基地局無線装置２１で「折り返し」が行われ、ここから位置登録応答の送信が行われる。この送信信号は移動局無線装置３０で受信されその受信レベルが仮セットされる。次に、その移動局無線装置３０はチャネル「市２」で同様に位置登録送信を行う。このときはチャネル「市２」をもつ基地局無線装置２３の受信レベルが仮セットされる。次に、その移動局無線装置３０はチャネル「市３」で同様に位置登録送信を行う。このときはチャネル「市３」をもつ基地局無線装置２２の受信レベルが仮セットされる。移動局無線装置３０では、次に、チャネル「市１」と「市２」と「市３」の受信レベルの内、最も高い方の受信レベルの例えばチャネル「市１」を選択して、当該チャネル「市１」について位置登録の送信を行う。これによって基地局無線装置２１からチャネル「市１」で応答（基地局番号が「０１」、動作モードが「常送」）があり、その受信レベルが規定値以上であると、そのときの動作モードが移動局無線装置３０にセットされ、待ち受け状態となる。以後、通信要求があると図６で説明した処理を行う。
【００３５】
通信中に例えばノイズが大きくなり、チャネルを「市１」から「市２」に変更したときは、当該チャネル「市２」について再度前記した位置登録の送信が行われる。このときは、基地局無線装置２３から、チャネル「市２」で応答（基地局番号が「０３」、動作モードが「常送」）があるので、その受信レベルが規定値以上であると、そのときの動作モードが移動局無線装置３０にセットされ、通信が可能となる。
【００３６】
チャネル「市２」に切り替えた後、消防車が通信エリアＡから通信エリアＢに移動したときは、基地局無線装置２３の近辺であるので、チャネル「市２」の受信レベルは低下せず、そのまま通信が可能となる。さらに通信エリアＤに移動したとき、移動局無線装置３０において、チャネル「市２」の受信レベルが規定値よりも低下したときは、チャネル「市１」、「市２」、「市３」について、再度前記した位置登録の送信が行われる。このときは、移動局無線装置３０に最も近い基地局無線装置２４から、チャネル「市１」で応答（基地局番号が「０４」、動作モードが「非常送」）があり、その受信レベルが規定値以上であると、そのときの動作モードが移動局無線装置３０にセットされ、通信が可能となる。
【００３７】
以上のように、動作モードが「常送」、「非常送」の基地局無線装置が混在していても、移動局無線装置に最も近い（受信レベルが最も高い）基地局無線装置との間で自動的に位置登録を行ってその基地局無線装置との間で通信を行うことができ、移動局無線装置のオペレータは基地局無線装置の動作モードおよび通信エリアを意識することなく作業を遂行できる。
【図面の簡単な説明】
【００３８】
【図１】本発明の実施例の無線システムの基本構成のブロック図である。
【図２】本発明の実施例の基地局無線装置の動作のフローチャートである。
【図３】本発明の実施例の基地局無線装置の折り返しの説明図である。
【図４】本発明の実施例の移動局無線装置の動作のフローチャートである。
【図５】図４の全チャネルサーチの詳細のフローチャートである。
【図６】図４の分岐のフローチャートである。
【図７】運用の一例の説明図である。
【図８】従来の無線システムの基本構成のブロック図である。
【符号の説明】
【００３９】
１０：統制局、１１：ＬＡＮ、１２：指令台、１３：指令制御装置、１４：無線統制台、１５：ＳＣＰＣ制御装置
２０：基地局無線装置群、２１〜２５：基地局無線装置
３０：移動局無線装置
【図１】
0004609667.tif 000002
【図２】
0004609667.tif 000003
【図３】
0004609667.tif 000004
【図４】
0004609667.tif 000005
【図５】
0004609667.tif 000006
【図６】
0004609667.tif 000007
【図７】
0004609667.tif 000008
【図８】
0004609667.tif 000009